(57)【特許請求の範囲】
【請求項１】
便器に洗浄水を供給する洗浄水タンク装置であって、
便器に供給する洗浄水を貯水する洗浄水タンクと、
この洗浄水タンクの底面に形成された排水口を開閉する排水弁と、
この排水弁を開弁操作する操作部と、
この操作部と上記排水弁とを連結解除可能に連結する連結部と、を有し、
この連結部は、上記洗浄水タンク内の水位が便器洗浄に必要な洗浄水量に相当する規定水位以上であるときには、上記操作部と上記排水弁とを連結して上記操作部による上記排水弁の開弁操作が可能な状態にし、上記洗浄水タンク内の水位が上記規定水位未満であるときには、上記操作部と上記排水弁との連結を解除して上記操作部による上記排水弁の開弁操作が不能な状態になるように切り替える連結切替手段を備え、
上記排水弁は、上記排水口を開閉する弁体と、この弁体に結合されて上方に延びて上記弁体と共に引き上げられることにより上記弁体を開弁させる管部材と、この管部材に設けられたフロートと、を備え、
上記連結部の連結切替手段は、上記操作部に連結されて上記操作部による上記排水弁の開弁操作時に上記管部材を引き上げ可能な引き上げ部材と、上記管部材に設けられて上記引き上げ部材に係合解除可能に係合する係合部材と、を備え、この係合部材は、上記洗浄水タンク内の水位が便器洗浄に必要な洗浄水量に相当する規定水位以上であるときに上記操作部による上記排水弁の開弁操作が開始されると、上記引き上げ部材と係合して上記引き上げ部材により所定の引き上げ距離だけ引き上げられた後、上記フロートの浮力により最大高さ位置まで上昇して上記引き上げ部材との係合を解除し、
上記引き上げ距離は、上記係合部材が上記排水弁の開弁操作開始前の高さ位置から上記最大高さ位置まで移動する距離よりも小さく設定されていることを特徴とする洗浄水タンク装置。
【請求項２】
上記連結部の連結切替手段は、更に、上記洗浄水タンク内に設けられ且つ上端部が開放されて上記上端部以外に上記洗浄水タンクと連通する連通孔が形成された小タンクと、この小タンク内に設けられ且つ上記小タンク内の水位の変動に伴って上下動することにより上記操作部と上記排水弁とを連結又は連結解除させて上記操作部による上記排水弁の開弁操作を可能な状態又は不能な状態に切り替える小フロートと、を備えている請求項１記載の洗浄水タンク装置。
【請求項３】
便器に洗浄水を供給する洗浄水タンク装置であって、
便器に供給する洗浄水を貯水する洗浄水タンクと、
この洗浄水タンクの底面に形成された排水口を開閉する排水弁と、
この排水弁を開弁操作する操作部と、
この操作部と上記排水弁とを連結解除可能に連結する連結部と、を有し、
この連結部は、上記洗浄水タンク内の水位が便器洗浄に必要な洗浄水量に相当する規定水位以上であるときには、上記操作部と上記排水弁とを連結して上記操作部による上記排水弁の開弁操作が可能な状態にし、上記洗浄水タンク内の水位が上記規定水位未満であるときには、上記操作部と上記排水弁との連結を解除して上記操作部による上記排水弁の開弁操作が不能な状態になるように切り替える連結切替手段を備え、
上記連結部の連結切替手段は、更に、上記洗浄水タンク内に設けられ且つ上端部が開放されて上記上端部以外に上記洗浄水タンクと連通する連通孔が形成された小タンクと、この小タンク内に設けられ且つ上記小タンク内の水位の変動に伴って上下動することにより上記操作部と上記排水弁とを連結又は連結解除させて上記操作部による上記排水弁の開弁操作を可能な状態又は不能な状態に切り替える小フロートと、を備えていることを特徴とする洗浄水タンク装置。
【請求項４】
上記洗浄水タンク内の便器洗浄に必要な洗浄水量に相当する規定水位は、上記小タンクの上縁の高さとほぼ等しい第１の所定水位であり、上記小タンクは、上記連通孔に開閉可能に設けられて上記洗浄水タンク内の水位が上記第１の所定水位よりも低い第２の所定水位未満であるときには、上記小タンク内の洗浄水を上記連通孔から上記洗浄水タンクへ流出させ、上記洗浄水タンク内の水位が上記第２の所定水位以上であるときには、上記洗浄水タンク内の水位が上記第１の所定水位に上昇するまで上記洗浄水タンク内の洗浄水が上記連通孔から上記小タンク内へ流入することを阻止する逆止弁を備えている請求項２又は３に記載の洗浄水タンク装置。
【請求項５】
上記小タンクは、更に、上記小タンク内の貯水が開始する水位を変更可能な水位変更手段を備えている請求項２乃至４の何れか１項に記載の洗浄水タンク装置。
【請求項６】
上記連結部は、更に、上記連結切替手段による切り替えにより上記操作部による上記排水弁の開弁操作が不能な状態になることを禁止する連結切替禁止手段を備えている請求項１乃至５の何れか１項に記載の洗浄水タンク装置。
【請求項７】
便器に洗浄水を供給する洗浄水タンク装置であって、
便器に供給する洗浄水を貯水する洗浄水タンクと、
この洗浄水タンクの底面に形成された排水口を開閉する排水弁と、
この排水弁を開弁操作する操作部と、
この操作部と上記排水弁とを連結解除可能に連結する連結部と、を有し、
この連結部は、上記洗浄水タンク内の水位が便器洗浄に必要な洗浄水量に相当する規定水位以上であるときには、上記操作部と上記排水弁とを連結して上記操作部による上記排水弁の開弁操作が可能な状態にし、上記洗浄水タンク内の水位が上記規定水位未満であるときには、上記操作部と上記排水弁との連結を解除して上記操作部による上記排水弁の開弁操作が不能な状態になるように切り替える連結切替手段を備え、
上記連結部は、更に、上記連結切替手段による切り替えにより上記操作部による上記排水弁の開弁操作が不能な状態になることを禁止する連結切替禁止手段を備えていることを特徴とする洗浄水タンク装置。
【請求項８】
請求項１乃至７の何れか１項に記載の洗浄水タンク装置を有する水洗便器。
【発明の詳細な説明】
【技術分野】
【０００１】
本発明は、洗浄水タンク装置、及び、この洗浄水タンク装置を有する水洗便器に係り、特に、便器に洗浄水を供給する洗浄水タンク装置、及び、この洗浄水タンク装置を有する水洗便器に関する。
【背景技術】
【０００２】
従来、便器に洗浄水を供給する洗浄水タンク装置においては、洗浄水タンク内に貯水されている洗浄水の水位が便器洗浄に必要な洗浄水量に相当する規定水位を満たしているか否かにかかわらず、使用者が洗浄操作用のレバーを操作する毎に、洗浄水タンク内の洗浄水が便器に供給されるようになっている。
しかしながら、洗浄水タンクから洗浄水が供給される側の便器については、便器洗浄に必要な規定の洗浄水量の洗浄水が供給されることを前提として設計されている。したがって、洗浄水タンク内に貯水されている洗浄水の水位が便器洗浄に必要な洗浄水量に相当する規定水位を満たしていない状態であるにもかかわらず、洗浄水タンクから便器へ不用意に洗浄水が供給されて洗浄が行われる、いわゆる、「貯水前洗浄」が行われると、洗浄水量の不足による便器の洗浄不良を生じさせたり、便器の下流側の床下側又は壁裏側に設けられた排水管の詰まりを生じさせるという問題がある。
【０００３】
そこで、従来の洗浄水タンク装置として、例えば、特許文献１に記載されているように、洗浄水タンク内に水位センサーを設け、この水位センサーが洗浄水タンク内に規定量の洗浄水が貯留されているのを検知しない状態では、使用者が洗浄操作ボタンを押しても排水弁が開かないようになっているものが知られている。さらに、洗浄水タンク内に水位センサーを設ける代わりに、洗浄操作部にタイマー回路を設けることにより、洗浄操作ボタンを押してから一定時間が経過するまでの期間について、さらに洗浄操作ボタンを押しても排水弁が開かないようになっているものが知られている。
【０００４】
また、従来の洗浄水タンク装置として、例えば、特許文献２に記載されているように、洗浄水タンク内にフロートを設け、このフロートは、洗浄水タンク内の水位によって上下動することにより、洗浄操作用の押しボタンと空気弁とを連結した状態又は連結解除した状態に切り替えることができるようになっている。このフロートが所定の高さ位置まで上昇した状態では、押しボタンと空気弁とが連結した状態となり、この状態で押しボタンを押すと、空気弁が開弁して排水動作が開始するようになっている。
一方、フロートが所定の高さ位置まで上昇しない状態では、押しボタンと空気弁とが連結解除した状態となり、この状態で押しボタンを押しても、排水動作が行われないようになっている。
【先行技術文献】
【特許文献】
【０００５】
【特許文献１】実開平４−５７５７２号公報
【特許文献２】特開昭５９−２１３８３１号公報
【発明の概要】
【発明が解決しようとする課題】
【０００６】
しかしながら、上述した特許文献２に記載されている従来の洗浄水タンク装置においては、洗浄水タンク内の水位によって上下動するフロートのみによって排水動作のオンオフが制御されているが、フロートを作動させるための洗浄水タンク内の規定水位の設定が難しく、バラツキが多いという問題がある。
また、排水動作が完了した後の洗浄水タンク内の洗浄水の水位については比較的遅い速度で上昇し、フロートも水位と共に比較的遅い速度で上昇するため、押しボタンと空気弁とが連結解除状態から連結状態へと切り替わるのが遅く、両者の連結が確実に行われないおそれもあるという問題がある。
【０００７】
そこで、本発明は、上述した従来技術の問題点を解決するためになされたものであり、便器の洗浄に必要な洗浄水量が洗浄水タンク内に貯水されていない状態で不用意に便器に洗浄水が供給されて洗浄が行われてしまう、いわゆる、「貯水前洗浄」を簡易な構造により未然に防ぐことができ、便器に供給される洗浄水量の不足による便器の洗浄不良や便器下流側の排水管の詰まりを防ぐことができる洗浄水タンク装置、及び、この洗浄水タンク装置を有する水洗便器を提供することを目的としている。
【課題を解決するための手段】
【０００８】
上記の目的を達成するために、本発明は、便器に洗浄水を供給する洗浄水タンク装置であって、便器に供給する洗浄水を貯水する洗浄水タンクと、この洗浄水タンクの底面に形成された排水口を開閉する排水弁と、この排水弁を開弁操作する操作部と、この操作部と上記排水弁とを連結解除可能に連結する連結部と、を有し、この連結部は、上記洗浄水タンク内の水位が便器洗浄に必要な洗浄水量に相当する規定水位以上であるときには、上記操作部と上記排水弁とを連結して上記操作部による上記排水弁の開弁操作が可能な状態にし、上記洗浄水タンク内の水位が上記規定水位未満であるときには、上記操作部と上記排水弁との連結を解除して上記操作部による上記排水弁の開弁操作が不能な状態になるように切り替える連結切替手段を備え、上記排水弁は、上記排水口を開閉する弁体と、この弁体に結合されて上方に延びて上記弁体と共に引き上げられることにより上記弁体を開弁させる管部材と、この管部材に設けられたフロートと、を備え、上記連結部の連結切替手段は、上記操作部に連結されて上記操作部による上記排水弁の開弁操作時に上記管部材を引き上げ可能な引き上げ部材と、上記管部材に設けられて上記引き上げ部材に係合解除可能に係合する係合部材と、を備え、この係合部材は、上記洗浄水タンク内の水位が便器洗浄に必要な洗浄水量に相当する規定水位以上であるときに上記操作部による上記排水弁の開弁操作が開始されると、上記引き上げ部材と係合して上記引き上げ部材により所定の引き上げ距離だけ引き上げられた後、上記フロートの浮力により最大高さ位置まで上昇して上記引き上げ部材との係合を解除し、上記引き上げ距離は、上記係合部材が上記排水弁の開弁操作開始前の高さ位置から上記最大高さ位置まで移動する距離よりも小さく設定されていることを特徴としている。
このように構成された本発明においては、例えば、排水弁が排水口を開放して洗浄水タンクから便器に洗浄水を供給している状態から排水口を閉鎖した後、洗浄水タンク内の水位が便器の洗浄に必要な洗浄水量に相当する規定水位に達する前の状態において、仮に操作部を操作したとしても、連結部の連結切替手段により、操作部と排水弁との連結を解除した状態で操作部による排水弁の開弁操作が不能な状態にすることができる一方、洗浄水タンク内の水位が上昇して便器の洗浄に必要な洗浄水量に相当する規定水位以上に達しているときには、操作部と排水弁とを連結して操作部による排水弁の開弁操作が可能な状態にすることができる。したがって、便器の洗浄に必要な洗浄水量が洗浄水タンク内に貯水されていない状態で不用意に便器に洗浄水が供給されて洗浄が行われてしまう、いわゆる、「貯水前洗浄」を簡易な構造により未然に防ぐことができ、便器に供給される洗浄水量の不足による便器の洗浄不良や便器下流側の排水管の詰まりを防ぐことができる。また、洗浄水タンク内の水位が便器洗浄に必要な洗浄水量に相当する規定水位以上であるときに操作部による排水弁の開弁操作が開始されると、係合部材が引き上げ部材と係合してこの引き上げ部材により所定の引き上げ距離だけ引き上げられ、さらに、排水弁のフロートの浮力により最大高さ位置まで上昇して引き上げ部材と係合部材との係合を容易に解除することができるため、貯水前洗浄を簡易な構造により確実に防ぐことができる。
【００１０】
本発明において、好ましくは、上記連結部の連結切替手段は、更に、上記洗浄水タンク内に設けられ且つ上端部が開放されて上記上端部以外に上記洗浄水タンクと連通する連通孔が形成された小タンクと、この小タンク内に設けられ且つ上記小タンク内の水位の変動に伴って上下動することにより上記操作部と上記排水弁とを連結又は連結解除させて上記操作部による上記排水弁の開弁操作を可能な状態又は不能な状態に切り替える小フロートと、を備えている。
このように構成された本発明においては、洗浄水タンク内の洗浄水が連結部の連結切替手段の小タンクの上端部から小タンク内に流入したり、小タンク内の洗浄水が連通孔から洗浄水タンクへ流出したりすることにより、小タンク内の水位が変動して小フロートが上下動すると、操作部と排水弁とが連結又は連結解除されて操作部による排水弁の開弁操作が可能な状態又は不能な状態に適切に切り替えることができるため、貯水前洗浄を効果的に禁止することができる。また、小タンクは、洗浄水タンクよりも容量が小さく、小タンクの水位上昇も洗浄水タンクの水位上昇よりも早く、小フロートの上下動により操作部と排水弁とを連結解除状態から連結状態に迅速に切り替えることができるため、操作部と排水弁とを連結解除状態から連結状態に切り替え中に、不用意に洗浄水タンクから便器に洗浄水が供給されることを抑制することができ、排水弁の開閉動作を適切に実行することができる。
つぎに、上記の目的を達成するために、本発明は、便器に洗浄水を供給する洗浄水タンク装置であって、便器に供給する洗浄水を貯水する洗浄水タンクと、この洗浄水タンクの底面に形成された排水口を開閉する排水弁と、この排水弁を開弁操作する操作部と、この操作部と上記排水弁とを連結解除可能に連結する連結部と、を有し、この連結部は、上記洗浄水タンク内の水位が便器洗浄に必要な洗浄水量に相当する規定水位以上であるときには、上記操作部と上記排水弁とを連結して上記操作部による上記排水弁の開弁操作が可能な状態にし、上記洗浄水タンク内の水位が上記規定水位未満であるときには、上記操作部と上記排水弁との連結を解除して上記操作部による上記排水弁の開弁操作が不能な状態になるように切り替える連結切替手段を備え、上記連結部の連結切替手段は、更に、上記洗浄水タンク内に設けられ且つ上端部が開放されて上記上端部以外に上記洗浄水タンクと連通する連通孔が形成された小タンクと、この小タンク内に設けられ且つ上記小タンク内の水位の変動に伴って上下動することにより上記操作部と上記排水弁とを連結又は連結解除させて上記操作部による上記排水弁の開弁操作を可能な状態又は不能な状態に切り替える小フロートと、を備えていることを特徴としている。
このように構成された本発明においては、例えば、排水弁が排水口を開放して洗浄水タンクから便器に洗浄水を供給している状態から排水口を閉鎖した後、洗浄水タンク内の水位が便器の洗浄に必要な洗浄水量に相当する規定水位に達する前の状態において、仮に操作部を操作したとしても、連結部の連結切替手段により、操作部と排水弁との連結を解除した状態で操作部による排水弁の開弁操作が不能な状態にすることができる一方、洗浄水タンク内の水位が上昇して便器の洗浄に必要な洗浄水量に相当する規定水位以上に達しているときには、操作部と排水弁とを連結して操作部による排水弁の開弁操作が可能な状態にすることができる。したがって、便器の洗浄に必要な洗浄水量が洗浄水タンク内に貯水されていない状態で不用意に便器に洗浄水が供給されて洗浄が行われてしまう、いわゆる、「貯水前洗浄」を簡易な構造により未然に防ぐことができ、便器に供給される洗浄水量の不足による便器の洗浄不良や便器下流側の排水管の詰まりを防ぐことができる。また、洗浄水タンク内の洗浄水が連結部の連結切替手段の小タンクの上端部から小タンク内に流入したり、小タンク内の洗浄水が連通孔から洗浄水タンクへ流出したりすることにより、小タンク内の水位が変動して小フロートが上下動すると、操作部と排水弁とが連結又は連結解除されて操作部による排水弁の開弁操作が可能な状態又は不能な状態に適切に切り替えることができるため、貯水前洗浄を効果的に禁止することができる。また、小タンクは、洗浄水タンクよりも容量が小さく、小タンクの水位上昇も洗浄水タンクの水位上昇よりも早く、小フロートの上下動により操作部と排水弁とを連結解除状態から連結状態に迅速に切り替えることができるため、操作部と排水弁とを連結解除状態から連結状態に切り替え中に、不用意に洗浄水タンクから便器に洗浄水が供給されることを抑制することができ、排水弁の開閉動作を適切に実行することができる。
【００１１】
本発明において、好ましくは、上記洗浄水タンク内の便器洗浄に必要な洗浄水量に相当する規定水位は、上記小タンクの上縁の高さとほぼ等しい第１の所定水位であり、上記小タンクは、上記連通孔に開閉可能に設けられて上記洗浄水タンク内の水位が上記第１の所定水位よりも低い第２の所定水位未満であるときには、上記小タンク内の洗浄水を上記連通孔から上記洗浄水タンクへ流出させ、上記洗浄水タンク内の水位が上記第２の所定水位以上であるときには、上記洗浄水タンク内の水位が上記第１の所定水位に上昇するまで上記洗浄水タンク内の洗浄水が上記連通孔から上記小タンク内へ流入することを阻止する逆止弁を備えている。
このように構成された本発明においては、排水弁の閉弁後、洗浄水タンク内に洗浄水を貯水しているときに、洗浄水タンク内の水位が、小タンクの上縁の高さとほぼ等しい第１の所定水位よりも低く、第２の所定水位以上であるときには、逆止弁により、洗浄水タンク内の水位が第１の所定水位に上昇するまで、洗浄水タンク内の洗浄水が連通孔から小タンク内へ流入することを阻止することができ、小フロートの上昇を防ぐことができるため、貯水前洗浄をより効果的に禁止することができる。
【００１２】
本発明において、好ましくは、上記小タンクは、更に、上記小タンク内の貯水が開始する水位を変更可能な水位変更手段を備えている。
このように構成された本発明においては、小タンク内の貯水が開始する水位を変更可能な水位変更手段により、小フロートの上下動によって操作部と排水弁とを連結状態又は連結解除状態に切り替えるタイミング（例えば、小タンク内の貯水水位）を現場に応じて調整することができる。
【００１３】
本発明において、好ましくは、上記連結部は、更に、上記連結切替手段による切り替えにより上記操作部による上記排水弁の開弁操作が不能な状態になることを禁止する連結切替禁止手段を備えている。
このように構成された本発明においては、例えば、便器の清掃や洗浄水タンクのメンテナンスを行うために、操作部による排水弁の開弁操作を不能な状態にさせずに常時操作部と排水弁とを連結させて操作部による排水弁の開弁操作を可能にしたい場合には、連結部の連結切替禁止手段により、連結切替手段が操作部による排水弁の開弁操作が不能な状態に切り替えることを禁止することができ、適切に対応することができる。
つぎに、上記の目的を達成するために、本発明は、便器に洗浄水を供給する洗浄水タンク装置であって、便器に供給する洗浄水を貯水する洗浄水タンクと、この洗浄水タンクの底面に形成された排水口を開閉する排水弁と、この排水弁を開弁操作する操作部と、この操作部と上記排水弁とを連結解除可能に連結する連結部と、を有し、この連結部は、上記洗浄水タンク内の水位が便器洗浄に必要な洗浄水量に相当する規定水位以上であるときには、上記操作部と上記排水弁とを連結して上記操作部による上記排水弁の開弁操作が可能な状態にし、上記洗浄水タンク内の水位が上記規定水位未満であるときには、上記操作部と上記排水弁との連結を解除して上記操作部による上記排水弁の開弁操作が不能な状態になるように切り替える連結切替手段を備え、上記連結部は、更に、上記連結切替手段による切り替えにより上記操作部による上記排水弁の開弁操作が不能な状態になることを禁止する連結切替禁止手段を備えていることを特徴としている。
このように構成された本発明においては、例えば、排水弁が排水口を開放して洗浄水タンクから便器に洗浄水を供給している状態から排水口を閉鎖した後、洗浄水タンク内の水位が便器の洗浄に必要な洗浄水量に相当する規定水位に達する前の状態において、仮に操作部を操作したとしても、連結部の連結切替手段により、操作部と排水弁との連結を解除した状態で操作部による排水弁の開弁操作が不能な状態にすることができる一方、洗浄水タンク内の水位が上昇して便器の洗浄に必要な洗浄水量に相当する規定水位以上に達しているときには、操作部と排水弁とを連結して操作部による排水弁の開弁操作が可能な状態にすることができる。したがって、便器の洗浄に必要な洗浄水量が洗浄水タンク内に貯水されていない状態で不用意に便器に洗浄水が供給されて洗浄が行われてしまう、いわゆる、「貯水前洗浄」を簡易な構造により未然に防ぐことができ、便器に供給される洗浄水量の不足による便器の洗浄不良や便器下流側の排水管の詰まりを防ぐことができる。また、洗浄水タンク内の洗浄水が連結部の連結切替手段の小タンクの上端部から小タンク内に流入したり、小タンク内の洗浄水が連通孔から洗浄水タンクへ流出したりすることにより、小タンク内の水位が変動して小フロートが上下動すると、操作部と排水弁とが連結又は連結解除されて操作部による排水弁の開弁操作が可能な状態又は不能な状態に適切に切り替えることができるため、貯水前洗浄を効果的に禁止することができる。また、例えば、便器の清掃や洗浄水タンクのメンテナンスを行うために、操作部による排水弁の開弁操作を不能な状態にさせずに常時操作部と排水弁とを連結させて操作部による排水弁の開弁操作を可能にしたい場合には、連結部の連結切替禁止手段により、連結切替手段が操作部による排水弁の開弁操作が不能な状態に切り替えることを禁止することができ、適切に対応することができる。
【００１４】
また、本発明は、上記洗浄水タンク装置を有する水洗便器である。
このように構成された本発明においては、貯水前洗浄を未然に防ぐことができ、便器に供給される洗浄水量の不足による便器の洗浄不良や便器下流側の排水管の詰まりを防ぐ水洗便器を提供することができる。
【発明の効果】
【００１５】
本発明の洗浄水タンク装置によれば、便器の洗浄に必要な洗浄水量が洗浄水タンク内に貯水されていない状態で不用意に便器に洗浄水が供給されて洗浄が行われてしまう、いわゆる、「貯水前洗浄」を簡易な構造により未然に防ぐことができ、便器に供給される洗浄水量の不足による便器の洗浄不良や便器下流側の排水管の詰まりを防ぐことができる。
【図面の簡単な説明】
【００１６】
【図１】本発明の第１実施形態による洗浄水タンク装置が適用された水洗便器の断面図である。
【図２】本発明の第１実施形態による洗浄水タンク装置の排水開始前の状態の内部構造を示す正面断面図である。
【図３】本発明の第１実施形態による洗浄水タンク装置の排水装置の分解斜視図である。
【図４】本発明の第１実施形態による洗浄水タンク装置の排水開始前の状態の排水装置について部分的に破断した正面断面図である。
【図５】本発明の第１実施形態による洗浄水タンク装置の排水装置における切替機構部分を斜め上方から見た斜視図である。
【図６】図４に示す本発明の第１実施形態による洗浄水タンク装置の排水装置の切替機構部分を拡大した拡大図である。
【図７】本発明の第１実施形態による洗浄水タンク装置の排水装置の切替機構における支持台部材の斜視図である。
【図８】本発明の第１実施形態による洗浄水タンク装置の排水装置の切替機構における引き上げ部材の分解斜視図である。
【図９】本発明の第１実施形態による洗浄水タンク装置の排水装置の切替機構における係合部材の斜視図である。
【図１０】本発明の第１実施形態による洗浄水タンク装置の排水装置の切替機構における揺動カム部材の斜視図である。
【図１１】本発明の第１実施形態による洗浄水タンク装置の排水装置の切替機構における小フロートの斜視図である。
【図１２】本発明の第１実施形態による洗浄水タンク装置の排水装置の切替機構における逆止弁の斜視図である。
【図１３】本発明の第１実施形態による洗浄水タンク装置の大洗浄モードにおける排水が開始されて排水装置の排水弁が引き上げ部材により所定の引き上げ距離だけ引き上げられたときの状態を示す概略断面図である。
【図１４】図１３に示す本発明の第１実施形態による洗浄水タンク装置の排水装置の切替機構部分を拡大した拡大図である。
【図１５】本発明の第１実施形態による洗浄水タンク装置の大洗浄モードにおける排水装置の排水弁が所定の引き上げ距離だけ引き上げられた後、浮力により最大高さ位置まで上昇したときの状態を示す概略断面図である。
【図１６】図１５に示す本発明の第１実施形態による洗浄水タンク装置の排水装置の切替機構部分を拡大した拡大図である。
【図１７】本発明の第１実施形態による洗浄水タンク装置の大洗浄モードにおける排水装置の排水弁が最大高さ位置まで上昇後、洗浄水タンク内の水位がさらに低下して小フロートが最低位置まで下降したときの状態を示す概略断面図である。
【図１８】図１７に示す本発明の第１実施形態による洗浄水タンク装置の排水装置の切替機構部分を拡大した拡大図である。
【図１９】本発明の第１実施形態による洗浄水タンク装置の大洗浄モードにおける排水装置の排水終了後の状態を示す概略断面図である。
【図２０】図１９に示す本発明の第１実施形態による洗浄水タンク装置の排水装置の切替機構部分を拡大した拡大図である。
【図２１】本発明の第２実施形態による洗浄水タンク装置の内部構造を斜め上方から見た斜視図である。
【図２２】本発明の第２実施形態による洗浄水タンク装置の排水装置の部分を斜め上方から見た斜視図である。
【図２３】本発明の第２実施形態による洗浄水タンク装置の排水装置の切替禁止装置の非作動状態を示す概略図である。
【図２４】本発明の第２実施形態による洗浄水タンク装置の排水装置の切替禁止装置の作動状態を示す概略図である。
【発明を実施するための形態】
【００１７】
つぎに、添付図面により、本発明の第１実施形態による洗浄水タンク装置を説明する。
まず、図１により、本発明の第１実施形態による洗浄水タンク装置が適用された水洗便器について説明する。
【００１８】
図１は、本発明の第１実施形態による洗浄水タンク装置が適用された水洗便器の断面図である。
図１に示すように、符号１は洗落し式の水洗便器を示し、この便器１は、便器本体２を備え、この便器本体２にはボウル部４と、導水路６と、ボウル部４の下部と連通するトラップ管路８がそれぞれ形成されている。
便器本体２のボウル部４の上縁部には、内側にオーバーハングしたリム１０と、導水路６から供給される洗浄水を吐水する第１吐水口１２が形成され、この第１吐水口１２から吐水された洗浄水は、旋回しながら下降してボウル部を洗浄するようになっている。
【００１９】
ボウル部４の下方には、一点鎖線で貯留面Ｗ0が示された溜水部１４が形成されている。この溜水部１４の下方には、排水トラップ管路８の入口８ａが開口し、この入口８ａから上昇路８ｂが後方に延びている。この上昇路８ｂには下降路８ｃが連続し、下降路８ｃの下端は排水ソケット（図示せず）を介して床下の排出管（図示せず）に接続されている。また、ボウル部４の貯留面Ｗ0の上方位置には、導水路６から供給される洗浄水を吐水する第２吐水口１６が形成され、この第２吐水口１６から吐水される洗浄水が溜水部１４の溜水を上下方向に旋回させる旋回流を生じさせるようになっている。
【００２０】
便器本体２の導水路６の上方には、便器本体２に供給する洗浄水を貯水する洗浄水タンク装置１８が設けられている。
なお、本実施形態による洗浄水タンク装置１８は、上述した洗落し式以外の他のタイプの水洗便器（例えば、サイホン式水洗便器など）にも適用可能である。
【００２１】
つぎに、図２により、洗浄水タンク装置１８について説明する。
図２は、本発明の第１実施形態による洗浄水タンク装置の排水開始前の状態の内部構造を示す正面断面図である。
図２に示すように、洗浄水タンク装置１８は、便器本体２の後方側の上面に取り付けられる陶器製の外装タンク２０と、その内方に配置され、洗浄水が貯水される貯水タンク２２と、外装タンク２０に載せられる蓋体２４と、を備えている。洗浄水タンク装置１８の貯水タンク２２の底部には、便器本体２の導水路６と連通する排水口２２ａが形成され、貯水タンク２２内の洗浄水が導水路６（図１参照）へと排水されるようになっている。
【００２２】
貯水タンク２２は、それを取り囲むように断熱体２６が設けられ、この断熱体２６を介して、貯水タンク２２が外装タンク２０に取り付けられている。
また、貯水タンク２２の底面には、上述した便器本体２の導水路６に連通する排水口２２ａを形成する排水口形成部材２８が形成されている。この排水口形成部材２８は、上下方向に延びるように形成され、その下端部が外装タンク２０の下側まで延びて締結部材３０により固定されている。
【００２３】
また、蓋体２４には、蓋体２４に形成された手洗い鉢２４ａに手洗い用の水を吐水する手洗いカラン３２が設けられている。この手洗いカラン３２から吐水された手洗い鉢２４ａの水は、手洗い鉢２４ａに形成された吐水口（流入口）２４ｂにより、貯水タンク２２内に流入するようになっている。
【００２４】
つぎに、洗浄水タンク装置１８は、洗浄水給水装置３４を備えている。この洗浄水給水装置３４は、従来のものと同様のものであり、外部の水道管などの給水源（図示せず）に接続される給水管３６と、給水装置用フロート３８と、給水管３６と連通して貯水タンク２２に洗浄水を吐水する吐水管４０と、給水装置用フロート３８にレバー４２を介して連結される給水バルブ（図示せず）とを備えている。
【００２５】
また、洗浄水給水装置３４は、詳細は後述する排水装置４４による排水が開始されてから所定時間後、給水を開始するようになっている。
ここで、本実施形態では、貯水タンク２２の満水時の止水水位は、図２に示す位置（ＷＬ０）で一定になるようにしている。
さらに、本実施形態では、貯水タンク２２の満水時の止水水位ＷＬ０は、詳細は後述する小タンク９４の上縁９４ｂの高さ位置と等しい所定水位ＷＬ１よりも上方に位置している。
また、この貯水タンク２２の所定水位ＷＬ１（＜ＷＬ０）は、便器洗浄に最低限必要な洗浄水量に相当する規定水位と等しい、或いはこの規定水位を上回る水位となっている。すなわち、この貯水タンク２２の水位ＷＬ１に相当する洗浄水量は、便器洗浄に最低限必要な洗浄水量以上に設定されている。
【００２６】
また、この洗浄水給水装置３４は、手洗いカラン３２に水を供給する手洗い給水管４５を備え、便器への洗浄水の供給開始時（排水開始時）、上述した蓋体２４の手洗いカラン３２に水の供給を開始するようにしている。
【００２７】
つぎに、洗浄水タンク装置１８は、貯水タンク２２の排水口２２ａに開閉可能に取り付けられて排水口２２ａが開放されているときに貯水タンク２２内の洗浄水を便器本体２の導水路６に供給する排水装置４４と、この排水装置４４の作動を操作する操作部の一部である操作レバー４６とを備えている。
【００２８】
操作レバー４６は、一方（本実施形態では、手前側）に（９０度）回動させると、後述する大洗浄が開始され、他方（本実施形態では、奥側）に（９０度）回動させると、後述する小洗浄が開始されるように、排水装置４４を作動させる手動式の操作レバーである。
【００２９】
これらの操作レバー４６には、ユニバーサルジョイント等により構成され且つ排水装置４４の作動を操作する操作部の一部である回転伝達部材４８の一端部が連結されている。
一方、回転伝達部材４８の他端部には、その回転に伴って、回転伝達部材４８を中心に揺動することにより排水装置４４の開弁操作を行う開弁操作用の揺動部材５０と、回転伝達部材４８を中心に揺動する方向に応じて洗浄モードを大洗浄モード又は小洗浄モードに切り替える洗浄モード切替用の揺動部材５２がそれぞれ取り付けられている。
【００３０】
また、開弁操作用の揺動部材５０の先端部には、アーム部材５４が連結され、洗浄モード切替用の揺動部材５２の先端部５２ａには、玉鎖５６が取り付けられている。
【００３１】
これらの開弁操作用の揺動部材５０及び洗浄モード切替用の揺動部材５２については、回転伝達部材４８を一方側（大洗浄時）に回転させると、開弁操作用の揺動部材５０のみが、その一方側に揺動してアーム部材５４を引き上げ、このアーム部材５４の下端部に連結されたフック部材５８を引き上げるようになっている。
一方、回転伝達部材４８を他方側（小洗浄時）に回転させると、開弁操作用の揺動部材５０及び洗浄モード切替用の揺動部材５２のそれぞれが、その他方側に揺動してアーム部材５４及び玉鎖５６の双方を引き上げるような機構になっている。
【００３２】
つぎに、図２〜図４により、排水装置４４について説明する。
図３は、本発明の第１実施形態による洗浄水タンク装置の排水装置の分解斜視図であり、図４は、本発明の第１実施形態による洗浄水タンク装置の排水開始前の状態の排水装置について部分的に破断した正面断面図である。
【００３３】
まず、図３に示すように、本実施形態による洗浄水タンク装置１８の排水装置４４は、貯水タンク２２の排水口２２ａを開閉する排水弁として機能する弁体６０及び樹脂製のオーバーフロー管６２と、外側制御筒６４と、内側制御筒６６と、樹脂製のフロート６８と、外側制御筒６４の片側側面に形成された開口部６４ａを開閉する切替弁７０と、弁体６０の開弁操作を可能な状態又は不能な状態に切り替える切替機構７２とを備えている。
【００３４】
弁体６０は、図３及び図４に示すように、オーバーフロー管６２の下端部に形成された断面コ字状の弁体保持部６２ａにはめ込まれ、オーバーフロー管６２と共に上下動して、排水口２２ａを開閉する排水弁として機能するようになっている。
【００３５】
つぎに、図３及び図４に示すように、内側制御筒６６には、ほぼ円筒状の外側壁６６ａと、オーバーフロー管６２の上下動をガイドする円筒状の内側壁６６ｂが形成されている。
また、図３及び図４に示すように、内側制御筒６６には、これらの側壁６６ａ，６６ｂと共に洗浄水を貯水可能にする中間水平壁６６ｃが形成され、これらの側壁６６ａ，６６ｂ及び中間水平壁６６ｃにより貯水筒６６ｄが形成されている。
【００３６】
また、貯水筒６６ｄの外側壁６６ａには、貯水筒６６ｄ内に貯水された洗浄水を所定の流量で流出させるための２つの小穴６６ｅ，６６ｆが外側制御筒６４の開口部６４ａの反対側に位置するように形成されている。これらのうちの一方の小穴６６ｅについては、上下方向にスライド可能なスライド部材７４が取り付けられており、このスライド部材７４を上下方向にスライドさせることにより、小穴６６ｅの開口面積を調節し、貯水筒６６ｄ内から流出させる洗浄水の流量を調節することができるようになっている。
【００３７】
また、内側制御筒６６の外側壁６６ａにおけて、貯水筒６６ｄよりも下方部分には、排水時に、内側制御筒６６の外方側の洗浄水を排水口２２ａに流入させるための流入口６６ｇが形成されている。
【００３８】
つぎに、図４に示すように、貯水筒６６ｄの内方には、フロート６８が配置されている。このフロート６８の上方には、オーバーフロー管６２の凹部６２ｂ内に側方からはめ込まれた固定部材７６が設けられ、この固定部材７６は、満水時には、フロート６８の上昇を抑えるストッパとしての機能するようになっている。また、固定部材７６は、排水時には、オーバーフロー管６２及び弁体６０がフロート６８の下降と連動して下降するように、オーバーフロー管６２とフロート６８とを接続している。
ここで、フロート６８の浮力は、満水時、弁体６０にかかる水圧によりオーバーフロー管６２及び弁体６０を上昇させないような浮力に設定され、排水時には、オーバーフロー管６２及び弁体６０に作用する下方向きの力よりやや大きい浮力に設定されている。
【００３９】
つぎに、図３及び図４に示すように、外側制御筒６４は、その横断面形状がほぼ矩形状に形成され、４辺の上縁部６４ｂを備え、上方が開放されている。また、外側制御筒６４は、矩形状に形成された外側制御筒６４の４つの側面のうち、１つの側面６４ｃにのみ、矩形状の開口部６４ａが１つだけ形成されている。
【００４０】
また、外側制御筒６４の開口部６４ａを開閉する切替弁７０は、図３及び図４に示すように、第１切替弁７８及びその外方側に設けられる第２切替弁８０が設けられている。
【００４１】
図３に示すように、外側制御筒６４は、開口部６４ａの下方且つ側方の両側に軸６４ｄを備え、第１切替弁７８は、それらの軸６４ｄにより揺動自在に嵌められる受部７８ａを備え、第２切替弁８０には、その受部７８ａに揺動自在に嵌められる孔部８０ａが形成されている。
【００４２】
第１切替弁７８は、外側制御筒６４の軸６４ｄを中心に下方位置から開口部６４ａを閉じる位置まで揺動可能であり、第２切替弁８０は、外側制御筒６４の軸６４ｄを中心に下方位置から開口部６４ａを閉じた第１切替弁７８に隣接する位置まで揺動可能になっている。
【００４３】
つぎに、図３及び図４に示すように、第１切替弁７８には、この第１切替弁７８が開口部６４ａを閉じたとき、外側制御筒６４の外方と内方とを連通させる連通口７８ｂが形成されている。この連通口７８ｂの開口断面積は、開口部６４ａの開口断面積よりも小さく、その大きさは、開口部６４ａを全開にしたときより、洗浄水の流量が所定量少なくなるような大きさに形成されており、この第１切替弁７８により、外側制御筒６４の開口部６４ａの開口断面積を調節（減少）することができるようになっている。
【００４４】
つぎに、第２切替弁８０には、第１切替弁７８側に向けて延びる突出部８０ｂが形成されている。この突出部８０ｂは、第２切替弁８０が第１切替弁７８に近接した状態或いは隣接した状態のときに、第１切替弁７８の連通口７８ｂに挿入可能な位置及び角度に形成されている。
【００４５】
また、第２切替弁８０の上縁部には、洗浄モード切替用の揺動部材５２に取り付けられた玉鎖５６の下端部分が取り付けられる玉鎖取付部８０ｃを備えている。
さらに、第１切替弁７８と第２切替弁８０のそれぞれには、錘８２，８４がそれぞれ取り付けられている。
【００４６】
図３及び図４に示すように、外側制御筒６４の内方には内側制御筒６６が取り付けられ、外側制御筒６４及び内側制御筒６６は、排水口２２ａを取り囲むように貯水タンク２２の底部に取り付けられ、オーバーフロー管６２が上下動することにより、弁体６０が排水口２２ａを開閉するようになっている。
【００４７】
つぎに、図２〜図１２により、本発明の第１実施形態による洗浄水タンク装置１８の排水装置４４における弁体６０の開弁操作を可能な状態又は不能な状態に切り替える切替機構７２について説明する。
図５は、本発明の第１実施形態による洗浄水タンク装置の排水装置における切替機構部分を斜め上方から見た斜視図であり、図６は、図４に示す本発明の第１実施形態による洗浄水タンク装置の排水装置の切替機構部分を拡大した拡大図である。
【００４８】
まず、図３〜図６に示すように、切替機構７２は、内側制御筒６６の上方に設けられて開弁操作用の揺動部材５０及び洗浄モード切替用の揺動部材５２を揺動可能に支持する支持台部材８６と、操作レバー４６の回動操作により引き上げられる引き上げ部材８８と、オーバーフロー管６２の上方外周部の両側に設けられた軸６２ｃを中心に回動可能に取り付けられて引き上げ部材８８と連結解除可能に連結する係合部材９０と、この係合部材９０に連結解除可能に連結する揺動カム部材９２と、支持台部材８６の内周側の一部に形成されて貯水タンク２２よりも容量が小さい小タンク９４と、この小タンク９４内に設けられて揺動カム部材９２に連結する小フロート９６と、小タンク９６の下方に設けられた逆止弁９８と、を備えている。
【００４９】
つぎに、図７は、本発明の第１実施形態による洗浄水タンク装置の排水装置の切替機構における支持台部材の斜視図である。
図３〜図７に示すように、切替機構７２の支持台部材８６は、上方及び下方が開放されて概ね円筒状の本体部８６ａと、この本体部８６ａの外周部下方の四隅から下方に延びる４つの脚部８６ｂとを備え、これらの脚部８６ｂのそれぞれは、それぞれに対向する下方の内側制御筒６６の上縁の四隅から上方に延びる取付支持部６６ｈ（図３及び図５参照）に取り付けられて固定されている。
【００５０】
また、図３及び図７に示すように、支持台部材８６は、本体部８６ａの上端の前後方向に対向する両側から上方に延びる一対の支柱部８６ｃを備えている。これらの両支柱部８６ｃの上方には、後述する引き上げ部材８８の開弁操作用の揺動部材５０の円筒部５０ａが挿入されて取り付けられた状態で揺動部材５０を揺動可能に支持する取付穴８６ｄが形成されている。
【００５１】
さらに、図３及び図７に示すように、支持台部材８６の本体部８６ａの内周側の一部には、後述する小フロート９６が上下動可能に挿入される小タンク９４が形成されている。
また、図６に示すように、小タンク９４の底部には、貯水タンク２２内と連通する連通孔９４ａが形成され、この連通孔９４ａに逆止弁９８が設けられている。
なお、連通孔９４ａについては、小タンク９４の底部に形成された形態に限定されず、小タンク９４の側部に連通孔を形成し、この連通孔に逆止弁を取り付けてもよい。
さらに、小タンク９４の上縁９４ｂは、支持台部材８６の本体部８６ａの上面と面一となっている。
また、図７に示すように、支持台部材８６の本体部８６ａの正面、及び小タンク９４が形成された側面と対向する側面には、貯水タンク２２内と連通する連通口８６ｅが形成されている。
【００５２】
つぎに、図８は、本発明の第１実施形態による洗浄水タンク装置の排水装置の切替機構における引き上げ部材の分解斜視図である。
図３〜図８に示すように、切替機構７２の引き上げ部材８８は、支持台部材８６の取付穴８６ｄに取り付けられる円筒部５０ａを備えた開弁操作用の揺動部材５０と、この揺動部材５０の連結軸５０ｂに連結される連結孔５４ａが上端部に形成されたアーム部材５４と、このアーム部材５４の下端部に形成された連結孔５４ｂに連結される連結軸５８ａが上端部に形成されたフック部材５８とを備えている。
【００５３】
図３、図５及び図８に示すように、揺動部材５０の円筒部５０ａは、支持台部材８６の取付穴８６ｄに挿入された状態で、洗浄モード切替用の揺動部材５２の円環部５２ｂが揺動部材５０の円筒部５０ａの外周側に取り付けられた後、Ｃ形状の固定部材１００が揺動部材５０の円筒部５０ａに取り付けられている。
例えば、操作レバー４６を一方側（大洗浄時）に回転させることにより、回転伝達部材４８を一方側に回転させると、開弁操作用の揺動部材５０のみが、その一方側に揺動してアーム部材５４を引き上げ、このアーム部材５４の下端部に連結されたフック部材５８を引き上げるようになっている。
一方、操作レバー４６を他方側（小洗浄時）に回転させることにより、回転伝達部材４８を他方側に回転させると、開弁操作用の揺動部材５０が他方側に揺動してアーム部材５４を引き上げると共に、摺動部材５０の円筒部５０ａの外周面から外側に突出するように形成された突起５０ｃ（図６参照）がその裏側（後側）に位置する洗浄モード切替用の揺動部材５２の突起（図示せず）と当接し、この洗浄モード切替用の摺動部材５２が摺動部材５０と一体的に他方側に揺動して玉鎖５６を引き上げるような機構になっている。
【００５４】
また、引き上げ部材８８のフック部材５８は、上方から見てほぼＵ字形に形成されて且つ後述する係合部材９０に係合又は係合解除可能な一対のフック部５８ｂを備えている。
【００５５】
さらに、図９は、本発明の第１実施形態による洗浄水タンク装置の排水装置の切替機構における係合部材の斜視図である。
図３〜図９に示すように、切替機構７２の係合部材９０は、オーバーフロー管６２の軸６２に取り付けられる取付穴９０ａのぞれぞれから下方に直線状に延びる一対の直線フレーム部９０ｂと、これらの直線フレーム部９０ｂの上端の双方を結ぶようにオーバーフロー管６２の外周面をほぼ半円弧状に取り囲む湾曲フレーム部９０ｃとを備えている。また、直線フレーム部９０ｂの下端部は、ほぼ水平方向に湾曲しており、その外側側面から外方に突出する係合突起９０ｄが形成されている。
また、フック部材５８の一対のフック部５８ｂの内側同士の間隔は、係合部材９０の一対の直線フレーム部９０ｂの外側同士の間隔よりもわずかに大きくなっている。
さらに、貯水タンク２２内の水位が、満水時の止水水位ＷＬ０よりも低く且つ小タンク９４の上縁９４ｂの高さ位置と等しい水位ＷＬ１以上になったときに、操作レバー４６を回転して引き上げ部材８８のフック部材５８が引き上げられると、フック部５８ｂの先端部上面５８ｃが係合部材９０の係合突起９０ｄの下端に係合し、係合部材９０を引き上げることができるようになっている。
さらに、フック部材５８により係合部材９０が引き上げられると、弁体６０がオーバーフロー管６２と共に引き上げられ、排水口２２ａが開放されるようになっている。
【００５６】
また、詳細は、図１５及び図１６を参照した排水装置４４の動作において説明するが、本実施形態では、貯水タンク２２内の水位が、止水水位ＷＬ０よりも低く且つ小タンク９４の上縁９４ｂの高さ位置と等しい水位ＷＬ１以上であるときに操作レバー４６による弁体６０の開弁操作が開始されると、係合部材９０の係合突起９０ｄが引き上げ部材８８のフック部材５８のフック部５８ｂの先端部上面５８ｃと係合し、この引き上げ部材８８により所定の引き上げ距離ｈ１だけ引き上げられるようになっている。そして、この引き上げ後、貯水タンク２２内の洗浄水によるオーバーフロー管６２及びフロート７０に作用する浮力により、係合部材９０がオーバーフロー管６２と共に最大高さ位置までさらに距離ｈ２だけ上昇するようになっている。
すなわち、係合部材９０が引き上げ部材８８により引き上げられる引き上げ距離ｈ１は、係合部材９０が弁体６０の開弁操作開始前の高さ位置から最大高さ位置まで移動する距離ｈ３よりも小さく設定されている。
【００５７】
また、係合部材９０は、オーバーフロー管６２の軸６２ｃを中心に揺動可能であり、オーバーフロー管６２の外周の一部には、係合部材９０の揺動範囲を規制するための突起６２ｄ（図６参照）が形成されている。この突起６２ｄは、図６及び図９に示すように、係合部材９０が、その直線フレーム部９０ｂが垂直方向に延びるような位置にあるときに、係合部材９０の直線フレーム部９０ｂの一方側の端面９０ｅに当接し、係合部材９０の突起６２ｄ側への更なる回動が規制されるようになっている。
【００５８】
つぎに、図１０は、本発明の第１実施形態による洗浄水タンク装置の排水装置の切替機構における揺動カム部材の斜視図であり、図１１は、本発明の第１実施形態による洗浄水タンク装置の排水装置の切替機構における小フロートの斜視図である。
図３〜図１１に示すように、切替機構７２の揺動カム部材９２は、支持台部材８６の本体部８６ａの上面に前後方向に所定間隔を置いて設けられた一対の軸受け部材１０２にその軸回りに回動可能に取り付けられる回動軸部９２ａと、この回動軸部９２ａの側面の一部に軸方向に対向するように一体に形成され且つ回動軸部９２ａの回動（揺動）により係合部材９０の直線フレーム部９０ｂの他方側の端面９０ｆのそれぞれと係合又は係合解除可能な一対のカム突起部９２ｂと、回動軸部９２ａの外周面に沿って一体に形成され且つ小フロート９６の連結軸部９６ａがその軸回りに回動可能に連結される一対の連結突起部９２ｃとを備えている。
【００５９】
また、図１１に示すように、切替機構７２の小フロート９６は、連結軸部９６ａと、内部が中空に形成されて小タンク９４（図６及び図７参照）内に配置される本体部９６ｂと、この本体部９６ｂの上面に一体に形成されて本体部９６ｂの上面から所定間隔置いた上方に連結軸部９６ａを保持する保持部９６ｃとを備えている。
さらに、小フロート９６の本体部９６ｂは、その外周と小タンク９４の内周面との間に所定間隔の隙間が形成されている。
また、小フロート９６の本体部９６ｂは、小タンク９４内の水位の上下動と連動し、小フロート９６が小フロート９６に対して上下動することができるようになっている。
【００６０】
つぎに、図１２は、本発明の第１実施形態による洗浄水タンク装置の排水装置の切替機構における逆止弁の斜視図である。
図３〜図１２に示すように、小タンク９４の連通孔９４ａに開閉可能に設けられた逆止弁９８は、本体部９８ａと、この本体部９８ａの上面９８ｂから上方に延びるように形成された４つの指部９８ｃとを備えている。
また、これらの指部９８ｃの外面９８ｄ（図１２参照）を互いに円周方向に結ぶ外周円の直径Ｄ１（図６参照）は、連通孔９４ａの直径とほぼ等しく、それぞれの指部９８ｃが小タンク９４の連通孔９４ａを通過することができるようになっているが、各指部９８ｃの上端部９８ｅは、小タンク９４の連通孔９４ａの周縁部よりも外方に突出している。
【００６１】
したがって、貯水タンク２２内の水位が小タンク９４の連通孔９４ａの上下方向の高さ位置と等しい又はこの高さ位置よりも上方に位置しているときには、貯水タンク２２内の洗浄水により、逆止弁９８に作用する上向きの浮力が逆止弁９８の自重を上回るため、逆止弁９８の本体部９８ａが小タンク９４に対して最も上昇し、小タンク９４の連通孔９４ａが逆止弁９８の本体部９８ａの上面９８ｂの中央部により閉鎖されるようになっている。
また、貯水タンク２２内の水位が小タンク９４の連通孔９４ａの上下方向の高さ位置未満にあるときには、水位が下がる程、逆止弁９８に作用する上向きの浮力が小さくなり、逆止弁９８が小タンク９４に対して下降し、小タンク９４の連通孔９４ａが開放されるようになっている。
さらに、小タンク９４内の洗浄水のすべてが連通孔９４ａから貯水タンク２２内へ流出すると、逆止弁９８が小タンク９４に対して最も下方の位置まで下降し、指部９８ｂの上端部９８ｅの下面９８ｆが連通孔９４ａに当接し、逆止弁９８が小タンク９４に対して脱落しないようになっている。
【００６２】
以上より、上述した本実施形態の洗浄水タンク装置１８の構成では、弁体６０、この弁体６０を弁体保持部６２ａで保持するオーバーフロー管６２、及びフロート６８が貯水タンク２２の排水口２２ａを開閉する排水弁として機能するようになっている。
また、操作レバー４６と回転伝達部材４８がこの排水弁を開弁操作する操作部として機能するようになっている。
さらに、切替機構７２の支持台部材８６、引き上げ部材８８、係合部材９０、揺動カム部材９２、小タンク９４、及び小フロート９６がこれらの操作部と排水弁とを連結解除可能に連結する連結部として機能するようになっている。
特に、切替機構７２の係合部材９０、揺動カム部材９２、小タンク９４、及び小フロート９６が、貯水タンク２２内の水位が止水水位ＷＬ０よりも低く且つ小タンク９４の上縁９４ｂの高さ位置と等しい所定水位ＷＬ１であるときには、操作部と排水弁とを連結して操作部による排水弁の開弁操作が可能な状態にし、貯水タンク２２内の水位が所定水位ＷＬ１未満であるときには、操作部と排水弁との連結を解除して操作部による排水弁の開弁操作が不能な状態になるように切り替える連結切替手段として機能するようになっている。
【００６３】
つぎに、本発明の第１実施形態による洗浄水タンク装置の動作について説明する。
まず、図２、図４、図６及び図１３〜図２０により、本発明の第１実施形態による洗浄水タンク装置により実行される大洗浄モード及び小洗浄モードの２種類の洗浄モードのうち、大洗浄モードについて説明する。
なお、以下で説明する大洗浄モードは、上述した貯水筒６６ｄに形成した小穴６６ｅ、６６ｆが２つとも開かれている状態（スライド部材７４で小穴６６ｅを閉じない状態）についての例である。
【００６４】
まず、図２、図４及び図６に示すように、大洗浄モードが開始される前の状態では、貯水タンク２２の排水口２２ａが弁体６０により閉鎖されており、貯水タンク２２内の止水水位ＷＬ０は、小タンク９４の上縁の高さ位置と同一の水位ＷＬ１よりも上方となり、便器洗浄に必要な洗浄水量に相当する規定水位を上回る水位となっている。
このとき、図６に示すように、逆止弁９８は、貯水タンク２２内の止水水位ＷＬ０による浮力により最高位置まで上昇して小タンク９４の連通孔９４ａを閉鎖した状態となっており、小タンク９４内の水位も満水水位となり、小フロート９６についても最高位置まで上昇している状態となっている。
【００６５】
また、図６に示すように、揺動カム部材９２については、小フロート９６の上昇により、小フロート９６の連結軸部９６ａに連結された連結突起部９２ｃが上昇する方向に回動軸部９２ａが揺動した状態となっているため、カム突起９２ｂが係合部材９０の直線フレーム部９０ｂの端面９０ｆを押圧し、係合部材９０の直線フレーム部９０ｂの端面９０ｅがオーバーフロー管６２の突起６２ｄに当接し、係合部材９０の直線フレーム部９０ｂが垂直方向に延びた姿勢となっている。
このとき、図６に示すように、係合部材９０の係合突起９０ｄは、引き上げ部材８８におけるフック部材５８のフック部５８ｂの先端部上面５８ｃと当接しておらず、フック部５８ｂの先端部上面５８ｃよりも所定の隙間を置いて上方に位置している。
【００６６】
つぎに、図１３は、本発明の第１実施形態による洗浄水タンク装置の大洗浄モードにおける排水が開始されて排水装置の排水弁が引き上げ部材により所定の引き上げ距離だけ引き上げられたときの状態を示す概略断面図であり、図１４は、図１３に示す本発明の第１実施形態による洗浄水タンク装置の排水装置の切替機構部分を拡大した拡大図である。
図１３及び図１４に示すように、大洗浄モードの開始時、使用者が操作レバー４６を初期位置から手前側に９０度回転させると、開弁操作用の揺動部材５０のみが揺動することにより、この揺動部材５０に連結する引き上げ部材８８のアーム部材５４と、このアーム部材５４に連結するフック部材５８が所定の引き上げ距離ｈ１だけ引き上げられる。
【００６７】
このとき、図１３及び図１４に示すように、フック部５８ｂの先端部上面５８ｃと係合部材９０の係合突起９０ｄの下端は係合した状態となっており、フック部材５８が所定の引き上げ距離ｈ１だけ引き上げられたことにより、係合部材９０が所定の引き上げ距離ｈ１だけ引き上げられ、係合部材９０が取り付けられているオーバーフロー管６２も所定の引き上げ距離ｈ１だけ引き上げられる。そして、このオーバーフロー管６２の引き上げにより、弁体６０が、所定距離ｈ１だけ引き上げられ、排水口２２ａが開いて排水が開始され、貯水タンク２２内の水位が止水水位ＷＬ０から低下し始め、所定水位ＷＬ１未満の水位ＷＬ２となる。
また、図１４に示すように、貯水タンク２２内の水位ＷＬ２が小タンク９４の連通孔９４ａの高さ位置よりも上方に位置しているときには、逆止弁９８は、貯水タンク２２の水位ＷＬ２による浮力により、最高位置まで上昇して小タンク９４の連通孔９４ａを閉鎖した状態を維持している。このとき、小タンク９４内の水位は、その上縁９４ｂの高さとほぼ等しい満水水位ｗ０を維持し、小フロート９６についても最高位置まで上昇している状態を維持している。
【００６８】
一方、図１３に示すように、大洗浄モードの開始時、使用者が操作レバー４６を手前側に９０度回転させても、洗浄モード切替用の揺動部材５２は揺動しないため、この揺動部材５２に取り付けられている玉鎖５６は引き上げられず、切替弁７０が外側制御筒６４の開口部６４ａを開放したままの状態が維持される。
【００６９】
つぎに、図１５は、本発明の第１実施形態による洗浄水タンク装置の大洗浄モードにおける排水装置の排水弁が所定の引き上げ距離だけ引き上げられた後、浮力により最大高さ位置まで上昇したときの状態を示す概略断面図であり、図１６は、図１５に示す本発明の第１実施形態による洗浄水タンク装置の排水装置の切替機構部分を拡大した拡大図である。
図１５及び図１６に示すように、引き上げ部材８８のフック部材５８が所定の引き上げ距離ｈ１だけ引き上げられた後、貯水タンク２２内の洗浄水によるオーバーフロー管６２及びフロート７０に作用する浮力により、オーバーフロー管６２、フロート７０及び弁体６０が所定の引き上げ距離ｈ１だけ引き上げられた位置から最大の高さ位置まで更に所定距離ｈ２（図１６参照）だけ上昇する。
【００７０】
また、オーバーフロー管６２の上昇に伴って係合部材９０についても上昇するため、係合部材９０は、その係合突起９０ｄがフック部材５８のフック部５８ｂの先端部上面５８ｃと係合した状態から離間して係合が解除された状態となり、係合部材９０の自重により、オーバーフロー管６２の軸６２ｃを中心に図１６に示す矢印Ａの方向に揺動した後、図１５及び図１６に示す係合部材９０の姿勢の状態で静止する。
したがって、係合部材９０が引き上げ部材８８のフック部材５８によって引き上げられた距離ｈ１は、弁体６０が排水口２２ａを閉鎖している排水装置４４の開弁操作開始前の
係合部材９０、オーバーフロー管６２及び弁体６０の高さ位置から最大の高さ位置まで移動する距離ｈ３（＝ｈ１＋ｈ２）よりも小さくなる。
【００７１】
また、図１５及び図１６に示すように、貯水タンク２２内の水位ＷＬ３は、排水時間の経過に伴って、図１３及び図１４に示す水位ＷＬ２よりも低下するが、逆止弁９８の位置よりも上方に位置するため、逆止弁９８は、貯水タンク２２内の洗浄水による浮力により、最高位置まで上昇した状態を維持し、小タンク９４の連通孔９４ａを閉鎖している。したがって、小タンク９４内の水位も依然として満水水位ｗ０となっており、小フロート９６についても最高位置まで上昇している状態で維持されている。
【００７２】
つぎに、図１７は、本発明の第１実施形態による洗浄水タンク装置の大洗浄モードにおける排水装置の排水弁が最大高さ位置まで上昇後、洗浄水タンク内の水位がさらに低下して小フロートが最低位置まで下降したときの状態を示す概略断面図であり、図１８は、図１７に示す本発明の第１実施形態による洗浄水タンク装置の排水装置の切替機構部分を拡大した拡大図である。
図１７及び図１８に示すように、操作レバー４６が初期位置に戻されると、開弁操作用の引き上げ部材８８の開弁操作用の揺動部材５０、アーム部材５４、及びフック部材５８が図２、図４及び図６と同じ初期位置に戻る。
このとき、洗浄モード切替用の揺動部材５２は依然として揺動しないので、外側制御筒６４の開口部６４ａを開閉する切替弁７０の各切替弁７８、８０は、開口部６４ａから離間した位置のままである。したがって、外側制御筒６４の開口部６４ａは全開であり、その開口断面積も変わらない。
【００７３】
また、図１７及び図１８に示すように、貯水タンク２２内の水位ＷＬ４は、排水時間の経過に伴って、図１５及び図１６に示す水位ＷＬ３よりも低下し、この低下している洗浄水の水位が、小タンク９４の連通孔９４ａと同一の高さ位置（図１８の破線ＷＬ４’参照）を通過すると、逆止弁９８が浮力を失って最低位置まで一気に下降して小タンク９４の連通孔９４ａを開放する。そして、小タンク９４内の洗浄水は、開放された連通孔９４ａから貯水タンク２２内へ流出し、小タンク９４内の水位が低下し、小フロート９６が最低位置まで下降する。
【００７４】
さらに、図１７及び図１８に示すように、揺動カム部材９２については、小フロート９６の下降により、小フロート９６の連結軸部９６ａに連結された連結突起部９２ｃが下降する方向に回動軸部９２ａが揺動した状態となっているため、カム突起９２ｂが図１５及び図１６に示すカム突起９２ｂの位置よりも上昇している。
【００７５】
つぎに、図１９は、本発明の第１実施形態による洗浄水タンク装置の大洗浄モードにおける排水装置の排水終了後の状態を示す概略断面図であり、図２０は、図１９に示す本発明の第１実施形態による洗浄水タンク装置の排水装置の切替機構部分を拡大した拡大図である。
図１９に示すように、排水開始後、貯水タンク２２内の洗浄水の全体の水位ＷＬ５（図１９の破線ＷＬ５参照）が時間と共に低下し、外側制御筒６４の上縁部６４ｂ付近まで低下した時点で、外側制御筒６４内の洗浄水が急激に排水口２２ａから排出される。
【００７６】
また、これに伴い、内側制御筒６６の貯水筒６６ｄ内の洗浄水の水位が、小穴６６ｅ、６６ｆから流出する流量に応じて所定の速度で低下し始める。したがって、そのような貯水筒６６ｄ内の水位の低下に伴ってフロート６８も下降し、そのフロート６８の下降に連動してオーバーフロー管６２及び弁体６０も、フロート６８の下降速度と同じ速度で下降する。そして、所定時間経過後、貯水筒６６ｄ内の洗浄水の水位がフロート６８に浮力を与えない水位まで低下したとき、弁体６０が排水口２２ａを閉鎖し、排水が終了する。
【００７７】
ここで、図１９に示す水位ＤＷＬは、弁体６０が排水口２２ａを閉鎖した後に、外側制御筒６４の外方の洗浄水が、開口部６４ａを介して外側制御筒６４の内方に流入し、最終的に得られる、死水水位である。このように、閉弁後の外側制御筒６４の外方の水位ＤＷＬが、開口部６４ａの上縁より上方に位置するようにすることにより、開口部６４ａへ流入する洗浄水をヘッド圧が高いものとなり、洗浄が終了するまで水勢の強い洗浄水が排水される。すなわち、図１９に示すように、大洗浄モードにより、排水が開始される前の貯水タンク２２内の止水水位ＷＬ０と死水水位ＤＷＬとの水位差に相当する洗浄水量が、便器洗浄に必要な洗浄水として、貯水タンク２２内から排水口２２ａを経て便器本体２の導水路６に供給される。
【００７８】
また、図１９及び図２０に示すように、排水が終了した状態では、オーバーフロー管６２及び係合部材９０がそれぞれの最低位置まで下降しているが、係合部材９０の係合突起９０ｄは、引き上げ部材８８のフック部材５８のフック部５８ｂと当接しないように離間している。
排水が終了した後、洗浄水給水装置３４による給水により、貯水タンク２２内の水位が上昇している途中や、貯水タンク２２の内の水位が満水時の止水水位ＷＬ０よりも低い水位ＷＬ１未満のときに、仮に、使用者が操作レバー４６を操作することにより、引き上げ部材８８を引き上げたとしても、フック部材５８のフック部５８ｂの先端部上面５８ｃが係合部材９０の係合突起９０ｄに当接することなく引き上げられる。したがって、係合部材９０は、引き上げ部材８８のフック部材５８により引き上げられず、オーバーフロー管６２及び弁体６０も引き上げられることなく、排水口２２ａが閉鎖された状態が維持される。
【００７９】
また、図２及び図１９に示すように、排水が終了した後、洗浄水給水装置３４による給水により、貯水タンク２２内の水位が上昇して小タンク９４の連通孔９４ａの位置よりも上昇すると、逆止弁９８が連通孔９４ａを閉鎖する。そして、図２、図４及び図６に示すように、貯水タンク２２内の水位が上昇して小タンク９４の上縁９４ｂの高さ位置と等しい水位ＷＬ１に到達すると、小タンク９４の上縁９４ｂから小タンク９４内に貯水タンク２２内の洗浄水が流入し、小タンク９４内の水位が満水水位ｗ０となる。このとき、給水装置用フロート３８が、貯水タンク２２内の水位により上昇し、レバー４２を介して連結される給水バルブ（図示せず）を閉弁し、洗浄水給水装置３４による給水を停止する。
【００８０】
一方、本発明の第１実施形態による洗浄水タンク装置により実行される小洗浄モードにおける引き上げ部材８８や切替機構７２の一連の動作についても、図１３〜図２０に示す大洗浄モードの場合の引き上げ部材８８や切替機構７２の一連の動作と共通しているため、説明を省略する。
ちなみに、小洗浄モードの開始時、使用者が操作レバー４６を奥側に９０度回転させると、開弁操作用の揺動部材５０及び洗浄モード切替用の揺動部材５２の双方が揺動し、玉鎖５６を介して切替弁７０の第１切替弁７８及び第２切替弁８０が外側制御筒６４の開口部６４ａを閉じる位置まで引き上げられ、外側制御筒６４の内外の差圧により、切替弁７０が外側制御筒６４の開口部６４ａを閉じた位置に保持される。
したがって、小洗浄モードでは、貯水タンク２２の排水口２２ａから洗浄水を排水しているときに、貯水タンク２２内にあり且つ外側制御筒６４の外部にある洗浄水が外側制御筒６４の開口部６４ａよりから流入することができない分だけ、排水口２２ａから便器本体２の導水路６に供給される洗浄水量が大洗浄モードの場合よりも少なくなり、貯水タンク２２内の死水水位についても、図１９に示す水位ＤＷＬよりも高くなる。
【００８１】
上述した本発明の第１実施形態による洗浄水タンク装置１８によれば、例えば、排水装置４４の弁体６０が排水口２２ａを開放して貯水タンク２２から便器本体２に洗浄水を供給している状態から排水口２２ａを閉鎖した後、貯水タンク２２内の水位が便器の洗浄に必要な洗浄水量に相当する規定水位ＷＬ１に達する前の状態において、仮に使用者が操作レバー４６を回転操作したとしても、切替機構７２の引き上げ部材８８のフック部材５８と係合部材９０との係合（連結）が解除された状態となり、操作レバー４６による弁体６０の開弁操作が不能な状態にすることができる。一方、貯水タンク２２内の水位が死水水位ＤＷＬから上昇して便器の洗浄に必要な洗浄水量に相当する規定水位ＷＬ１以上に達しているときには、切替機構７２の引き上げ部材８８のフック部材５８と係合部材９０とが互いに係合（連結）した状態となり、操作レバー４６による弁体６０の開弁操作が可能な状態にすることができる。したがって、水洗便器１の洗浄に必要な洗浄水量が貯水タンク２２内に貯水されていない状態で不用意に便器本体２に洗浄水が供給されて洗浄が行われてしまう、いわゆる、「貯水前洗浄」を簡易な構造により未然に防ぐことができ、水洗便器１に供給される洗浄水量の不足による水洗便器１の洗浄不良や便器本体２の下流側の排水管（図示せず）の詰まりを防ぐことができる。
【００８２】
また、本実施形態による洗浄水タンク装置１８によれば、係合部材９０が引き上げ部材８８により引き上げられる引き上げ距離ｈ１が、係合部材９０の開弁操作開始前の高さ位置から最大高さ位置まで移動する距離ｈ３よりも小さく設定されているため、貯水タンク２２内の水位が便器洗浄に必要な洗浄水量に相当する規定水位ＷＬ１以上であるときに操作レバー４６による弁体６０の開弁操作が開始されると、係合部材９０の係合突起９０ｄが引き上げ部材８８のフック部材５８のフック部５８ｂの先端部上面５８ｃと係合し、この引き上げ部材８８により所定の引き上げ距離ｈ１だけ引き上げられ、その後、貯水タンク２２内の洗浄水によるオーバーフロー管６２及びフロート７０に作用する浮力により、係合部材９０がオーバーフロー管６２と共に最大高さ位置までさらに距離ｈ２だけ上昇することができる。したがって、引き上げ部材８８のフック部材５８と係合部材９０との係合を容易に解除することができ、貯水前洗浄を簡易な構造により確実に防ぐことができる。
【００８３】
さらに、本実施形態による洗浄水タンク装置１８によれば、貯水タンク２２内の洗浄水が小タンク９４の上縁９４ｂから小タンク９４内に流入したり、小タンク９４内の洗浄水が連通孔９４ａから貯水タンク２２へ流出したりすることにより、小タンク９４内の水位が変動して小フロート９６が上下動すると、切替機構７２の引き上げ部材８８のフック部材５８と係合部材９０とが係合（連結）又は係合解除（連結解除）された状態に切り替わり、操作レバー４６による弁体６０の開弁操作が可能な状態又は不能な状態に適切に切り替えることができるため、貯水前洗浄を効果的に禁止することができる。また、小タンク９４は、貯水タンク２２よりも容量が小さく、小タンク９４の水位上昇も貯水タンク２２の水位上昇よりも早く、小フロート９６の上下動により、切替機構７２の引き上げ部材８８のフック部材５８と係合部材９０とを係合状態（連結状態）又は係合解除状態（連結解除状態）に迅速に切り替えることができる。したがって、切替機構７２の引き上げ部材８８のフック部材５８と係合部材９０とを連結状態から連結解除状態に切り替え中に、不用意に貯水タンク２２から便器本体２に洗浄水が供給されることを抑制することができ、排水装置４４の弁体６０の開閉動作を適切に実行することができる。
【００８４】
また、本実施形態による洗浄水タンク装置１８によれば、排水装置４４の弁体６０が閉弁後、貯水タンク２２内に洗浄水を貯水しているときに、貯水タンク２２内の水位が小タンク９４の上縁９４ｂの高さとほぼ等しい所定水位ＷＬ１よりも低く且つ小タンク９４の連通孔９４ａの高さと同一の水位ＷＬ４’以上の水位であるときには、逆止弁９８により、貯水タンク２２内の水位が所定水位ＷＬ１に上昇するまで、貯水タンク２２内の洗浄水が連通孔９４ａから小タンク９４内へ流入することを阻止することができ、小フロート９６の上昇を防ぐことができるため、貯水前洗浄をより効果的に禁止することができる。
【００８５】
なお、本実施形態では、例として、大洗浄モード及び小洗浄モードの２種類の洗浄モードを実行する洗浄水タンク装置の形態について説明したが、洗浄モードについては、大洗浄モードのみを実行するモードであってもよいし、エコ小洗浄モード等、大洗浄モード及び小洗浄モード以外の洗浄モードを適宜加えて、３種類以上の洗浄モードを実行可能にして多段階の洗浄水量を便器に供給してもよい。
【００８６】
つぎに、図２１〜図２４により、本発明の第２実施形態による洗浄水タンク装置について説明する。
図２１は本発明の第２実施形態による洗浄水タンク装置の内部構造を斜め上方から見た斜視図であり、図２２は本発明の第２実施形態による洗浄水タンク装置の排水装置の部分を斜め上方から見た斜視図であり、図２３は本発明の第２実施形態による洗浄水タンク装置の排水装置の切替禁止装置の非作動状態を示す概略図であり、図２４は本発明の第２実施形態による洗浄水タンク装置の排水装置の切替禁止装置の作動状態を示す概略図である。
なお、第２実施形態による洗浄水タンク装置においては、上述した第１実施形態と基本構造は同じであるが、支持台部材及び小タンクの構造が第１実施形態と異なることに加えて、切替機構の切り替えにより操作レバーによる排水装置の弁体の開弁操作が不能な状態になることを禁止するための切替禁止装置を新たに備えている点が第１実施形態と異なるため、以下、その異なる部分のみについて説明する。また、第１実施形態と同様の構成のものは、同一の符号を使用している。
【００８７】
まず、図２１及び図２２に示すように、本発明の第２実施形態による洗浄水タンク装置２１８においては、排水装置２４４の支持台部材２８６の内周側の一部に形成された小タンク２９４の側面に、その上縁２９４ｂから下方に所定長さ延びる切欠き２９４ｃが形成されている。
また、切欠き２９４ｃの外側には、スライド部材３０４が上下方向にスライド可能に取り付けられるガイド部２９４ｄが設けられている。このスライド部材３０４は、上下方向にスライドさせることにより、貯水タンク２２と連通する切欠き２９４ｃの開口面積Ｓを変更し、小タンク２９４内の貯水が開始する水位を変更することができるようになっている。
【００８８】
つぎに、図２１及び図２２に示すように、洗浄水タンク装置２１８は、切替機構２７２の引き上げ部材２８８のフック部材２５８と係合部材２９０とが互いに係合解除した状態になることを禁止して貯水前洗浄を可能にするための切替禁止装置３０６を備えている。この切替禁止装置３０６は、外装タンク２０の外側に設けられた操作ボタン３０８と、一端部が操作ボタン３０８に接続され且つ他端部が支持台部材２８６のワイヤ取付部２８６ｆに接続されて操作ボタン３０８の押圧操作により先端部３１０ａが押出し可能なプッシュプルワイヤ３１０とを備えている。
【００８９】
また、図２１及び図２３に示すように、操作ボタン３０８による押圧操作が行われず、切替禁止装置３０６が作動していない状態（非作動状態）であるときには、プッシュプルワイヤ３１０の先端部３１０ａが押し出されることなく支持台部材２８６のワイヤ取付部２８６ｆまで引き上げられた状態となっている。この状態では、揺動カム部材２９２の外側カム部２９２ｄが、プッシュプルワイヤ３１０の先端部３１０ａに当接することなく、回動軸部９２ａと共に所定の回動角度Ｂの範囲内で回動可能となっている。すなわち、この揺動カム部材２９２の揺動は、プッシュプルワイヤ３１０によって規制されることはない。
ちなみに、図２３に実線で示す揺動カム部材２９２の外側カム部２９２ｄは、切替機構２７２における引き上げ部材２８８のフック部材２５８のフック部２５８ｂの先端部上面２５８ｃと係合部材２９０の係合突起２９０ｄが係合解除可能な（連結解除可能な）状態であるときの姿勢を示している。一方、図２３に破線で示す揺動カム部材２９２の外側カム部２９２ｄは、切替機構２７２における引き上げ部材２８８のフック部材２５８のフック部２５８ｂと係合部材２９０の係合突起２９０ｄが係合可能な（連結可能な）状態であるときの姿勢を示している。
【００９０】
つぎに、図２１及び図２４に示すように、操作ボタン３０８による押圧操作が行われ、切替禁止装置３０６が作動している状態（作動状態）であるときには、プッシュプルワイヤ３１０の先端部３１０ａが支持台部材２８６のワイヤ取付部２８６ｆから下方に所定長さだけ押し出された状態となっている。この状態では、揺動カム部材２９２の外側カム部２９２ｄの一部が、プッシュプルワイヤ３１０の先端部３１０ａに当接し、揺動カム部材２９２の揺動がプッシュプルワイヤ３１０によって規制された状態となっている。
すなわち、図２４に示すように、揺動カム部材２９２の外側カム部２９２ｄは、切替機構２７２における引き上げ部材２８８のフック部材２５８のフック部２５８ｂと係合部材２９０の係合突起２９０ｄが係合可能な（連結可能な）状態となるように、プッシュプルワイヤ３１０によって固定され、貯水タンク２２内や小タンク２９４内の水位にかかわらず貯水前洗浄が可能となっている。
【００９１】
上述した本発明の第２実施形態による洗浄水タンク装置２１８よれば、小タンク２９４の切欠き２９４ｃの開口面積Ｓを変更することができるスライド部材３０４により、小タンク２９４内の貯水が開始する水位を変更することができ、小フロート２９６の上下動によって切替機構７２の引き上げ部材８８のフック部材５８と係合部材９０とを係合状態（連結状態）又は係合解除状態（連結解除状態）に切り替えるタイミングを現場に応じて調整することができる。
【００９２】
また、本実施形態による洗浄水タンク装置２１８によれば、例えば、便器本体２の清掃や洗浄水タンク装置２１８のメンテナンスを行うために、貯水タンク２２内や小タンク２９４内の水位にかかわらず、排水装置２４４の弁体６０の開弁操作を可能にして貯水前洗浄を行う場合には、切替禁止装置３０６を作動させることにより、操作レバー４６による排水装置２４４の弁体６０の開弁操作が不能な状態になることを禁止することができる。したがって、切替機構７２の引き上げ部材８８のフック部材５８と係合部材９０とを常時係合可能な（連結可能な）状態にして排水装置２４４の弁体６０の開弁操作を可能な状態にすることができ、適切に対応することができる。
【符号の説明】
【００９３】
１    水洗便器
２    便器本体
４    ボウル部
６    導水路
８    排水トラップ管路
８ａ  排水トラップ管路の入口
８ｂ  排水トラップ管路の上昇路
８ｃ  排水トラップ管路の下降路
１０    リム
１２    第１吐水口
１４    溜水部
１６    第２吐水口
１８    洗浄水タンク装置
２０    外装タンク
２２    貯水タンク
２２ａ  排水口
２４    蓋体
２４ａ  手洗い鉢
２４ｂ  吐水口
２６    断熱体
２８    排水口形成部材
３０    締結部材
３２    手洗いカラン
３４    洗浄水給水装置
３６    給水管
３８    給水装置用フロート
４０    吐水管
４２    レバー
４４    排水装置
４５    手洗い給水管
４６    操作レバー（操作部）
４８    回転伝達部材（操作部）
５０    開弁操作用の揺動部材
５０ａ  開弁操作用の揺動部材の円筒部
５０ｂ  開弁操作用の揺動部材の連結軸
５０ｃ  開弁操作用の揺動部材の突起
５２    洗浄モード切替用の揺動部材
５２ａ  先端部
５２ｂ  円環部
５４    アーム部材
５４ａ  アーム部材の連結孔
５４ｂ  アーム部材の連結孔
５６    玉鎖
５８    フック部材
５８ａ  フック部材の連結軸
５８ｂ  フック部材のフック部
５８ｃ  フック部材のフック部の先端部上面
６０    弁体（排水弁）
６２    オーバーフロー管（排水弁）
６２ａ  オーバーフロー管の弁体保持部
６２ｂ  オーバーフロー管の凹部
６２ｃ  オーバーフロー管の軸
６２ｄ  突起
６４    外側制御筒
６４ａ  外側制御筒の開口部
６４ｂ  外側制御筒の上縁部
６４ｃ  外側制御筒の一側面
６４ｄ  外側制御筒の軸
６６    内側制御筒
６６ａ  外側壁
６６ｂ  内側壁
６６ｃ  中間水平壁
６６ｄ  貯水筒
６６ｅ  小穴
６６ｆ  小穴
６６ｇ  流入口
６６ｈ  取付支持部
６８    フロート
７０    切替弁
７２    切替機構
７４    スライド部材
７６    固定部材
７８    第１切替弁
７８ａ  第１切替弁の受部
７８ｂ  連通口
８０    第２切替弁
８０ａ  孔部
８０ｂ  突出部
８０ｃ  玉鎖取付部
８２    錘
８４    錘
８６    支持台部材
８６ａ  支持台部材の本体部
８６ｂ  支持台部材の脚部
８６ｃ  支持台部材の支柱部
８６ｄ  支持台部材の取付穴
８６ｅ  支持台部材の連通口
８８    引き上げ部材（連結部）
９０    係合部材（連結部の連結切替手段）
９０ａ  取付穴
９０ｂ  直線フレーム部
９０ｃ  湾曲フレーム部
９０ｄ  係合突起
９０ｅ  直線フレーム部の一方側の端面
９０ｆ  直線フレーム部の他方側の端面
９２    揺動カム部材（連結部の連結切替手段）
９２ａ  揺動カム部材の回動軸部
９２ｂ  カム突起部
９２ｃ  連結突起部
９４    小タンク（連結部の連結切替手段）
９４ａ  小タンクの連通孔
９４ｂ  小タンクの上縁
９６    小フロート（連結部の連結切替手段）
９６ａ  小フロートの連結軸部
９６ｂ  小フロートの本体部
９６ｃ  小フロートの保持部
９８    逆止弁
９８ａ  逆止弁の本体部
９８ｂ  逆止弁の本体部の上面
９８ｃ  逆止弁の指部
９８ｄ  逆止弁の指部の外面
９８ｅ  指部の上端部
９８ｆ  指部の上端部の下面
１００    固定部材
１０２    軸受部材
【図１】
0005963104.tif 000002
【図２】
0005963104.tif 000003
【図３】
0005963104.tif 000004
【図４】
0005963104.tif 000005
【図５】
0005963104.tif 000006
【図６】
0005963104.tif 000007
【図７】
0005963104.tif 000008
【図８】
0005963104.tif 000009
【図９】
0005963104.tif 000010
【図１０】
0005963104.tif 000011
【図１１】
0005963104.tif 000012
【図１２】
0005963104.tif 000013
【図１３】
0005963104.tif 000014
【図１４】
0005963104.tif 000015
【図１５】
0005963104.tif 000016
【図１６】
0005963104.tif 000017
【図１７】
0005963104.tif 000018
【図１８】
0005963104.tif 000019
【図１９】
0005963104.tif 000020
【図２０】
0005963104.tif 000021
【図２１】
0005963104.tif 000022
【図２２】
0005963104.tif 000023
【図２３】
0005963104.tif 000024
【図２４】
0005963104.tif 000025